(57)【要約】【課題】脱着可能なユニットを取り外す際に、高温状態のユニットに触れて火傷したり、通電中のユニットを誤って取り外し、機器が故障することを防ぐ。【解決手段】凹部１０１のある交換ユニット１０２と、ユニットの挿入口１０３とユニット１０２が高温時や通電時はユニットが抜けないように凹部１０１へ引っかかり、低温時や非通電時は引っかかりがなくなりユニット１０２の取り外しが可能となる稼動部１０４を持つ本体１０５で構成する。ユニットが高温時や通電時である時は、本体から取り外しができず、温度が下がった時や非通電時にのみ取り外し可能なため、ユニットで火傷したり、機器が壊れたりする危険がない。【選択図】図１
2006190065.tif 000002
【特許請求の範囲】
【請求項１】
挿抜方向に平行な面に凹部を持つ交換ユニットと、前記交換ユニットを挿入する口と前記交換ユニットが高温である時、前記交換ユニットの凹部に先端が入る形状になり、また前記交換ユニットが低温である時、前記交換ユニットの凹部に先端が入らない形状に変化する稼動部とを有する本体と、を有し、前記稼動部の先端が前記交換ユニットの前記凹部に入った状態では、前記本体から前記交換ユニットを取り外すことができないことを特徴とする、交換ユニットとユニット取り付け装置。
【請求項２】
交換ユニットを挿入する口と前記交換ユニットの挿抜方向に平行な位置にある凹部とを有する本体と、前記交換ユニットの挿抜方向に平行な面の部分に交換ユニットが高温である時、前記本体の凹部に先端が入る形状になり、また前記交換ユニットが低温である時、前記本体の凹部に先端が入らない形状に変化する稼動部を有する前記交換ユニットと、を有し、前記稼動部の先端が前記本体の前記凹部に入った状態では、前記本体から前記交換ユニットを取り外すことができない
ことを特徴とする交換ユニットとユニット取り付け装置。
【請求項３】
高温時と低温時で形状が変化する請求項１、及び請求項２記載の前記稼動部には、熱膨張率の異なる少なくとも２種類以上の金属を張り合わせた材料を使用することを特徴とする請求項１、及び請求項２記載の交換ユニット、及びユニット取り付け装置。
【請求項４】
挿抜方向に平行な面に凹部を持つ交換ユニットと、前記交換ユニットを挿入する口と通電時には磁石となり、非通電時には磁石として働かない電磁石と、通電時には前記電磁石と反発して先端が前記交換ユニットの凹部に入る位置に移動し、非通電時には前記電磁石と磁力で先端が前記交換ユニットの凹部に入らない位置に移動する磁石と、を有する本体とを有し、前記磁石が前記交換ユニットの凹部に入った状態では、前記本体から前記交換ユニットを取り外すことができないことを特徴とする交換ユニットとユニット取り付け装置。
【発明の詳細な説明】
【技術分野】
【０００１】
本発明は、交換可能なユニットを持つ機器に関するもので、ユニット交換時の安全性を考慮した機器に関するものである。
【背景技術】
【０００２】
容易に交換や着脱可能なユニット、それもユニットを本体に挿入して使用する機器としては、ノートパソコンのＰＣカードスロットに挿入するものや、バッテリーパックなどがある。また、交換可能なユニットを持つ機器の安全性を考慮した発明としては、例えばユニットの挿入口にカバーを取り付け、ユニットが取り外される際に自動的にカバーが閉まる照明装置（下記、特許文献）の機器などがある。
【特許文献１】特開昭６０−５５３３０号公報
【発明の開示】
【発明が解決しようとする課題】
【０００３】
本体にユニットが挿入された状態で、長時間使用した直後に、本体からユニットを取り外した場合、機器が発生する熱でユニットが高温状態になり、その熱で交換する人が火傷する恐れがある。また、ユニットが通電中に誤ってユニットを取り外した場合、ユニット、または本体の機器が電気的に故障する恐れがある。
【０００４】
本発明は、このような問題を鑑みてなされたもので、その目的は、ユニットが高温時、または通電時には、本体からユニットを取り外しできない機器を提供することにある。
【課題を解決するための手段】
【０００５】
前述の目的を達成するために、本発明は、凹部を持つ交換ユニットと、交換ユニットを挿入する挿入口と、交換ユニットの温度が高温／低温、または通電時／非通電時で稼動する稼動部を有する本体機器において、交換ユニットが高温の時、または通電中の時は、交換ユニットが抜けないように、交換ユニットの凹部に稼動部の端が入り、そして、交換ユニットの温度が下がった時や非通電時は、稼動部の端が交換ユニットの凹部から出て本体から取り外すことができるようになること、を特徴とする機器を提供する。
【発明の効果】
【０００６】
本発明では、本体から交換ユニットを取り外す際に、交換ユニットが高温時、あるいは通電時には取り外すことができないため、交換する人が火傷したり、機器が故障したりする危険を防ぐことができる。
【発明を実施するための最良の形態】
【０００７】
（実施の形態１）
以下、図面に基づいて本発明の第１の実施例を詳細に説明する。図１は交換ユニットと本体機器の１例としての構成図を示し、
１０１は交換ユニットの凹部
１０２は交換ユニット
１０３は交換ユニットの挿入口
１０４は稼動部
１０５は本体機器である。
交換ユニット１０２は本体機器１０５の挿入口１０３から挿入した時に、本体内部となる位置で且つ、交換ユニット１０２の挿抜方向に平行な面に凹部１０１を有し、交換ユニット１０２を挿入する本体機器１０５は、交換ユニット１０２が高温の時、稼動部分の端が交換ユニット１０２の凹部１０１に入り、交換ユニット１０２が低温の時、稼動部分の端が交換ユニット１０２の凹部１０１から外に出るように形状が温度で変形する稼動部１０４を有する。稼動部１０４には、例えば熱膨張率の異なる２枚の金属を張り合わせたバイメタルを使用する。
【０００８】
以上に示したように、第１の実施例では、交換ユニットが高温の場合に、稼動部が交換ユニットの凹部に入り、交換ユニットを本体から取り外しできなくすることができ、また交換ユニットの温度が下がると、稼動部が交換ユニットの凹部から外に出るため、交換ユニットを本体から取り外しできるようになる。従って、ユニットを交換する人が、高温状態の交換ユニットに触ってしまう危険を回避することができる。
（実施の形態２）
次に、本発明の第２の実施例を詳細に説明する。図２は交換ユニットと本体機器の１例としての構成図を示し、
２０１は稼動部
２０２は交換ユニット
２０３は交換ユニットの挿入口
２０４は本体の凹部
２０５は本体機器である。
交換ユニット２０２は本体機器２０５の挿入口２０３から挿入した時に、本体内部となる位置で且つ、交換ユニット２０２の挿抜方向に平行な面に稼動部２０１を有し、交換ユニット２０２を挿入する本体機器２０５は、交換ユニット２０２が高温の時、稼動部分の端が本体２０５の凹部２０４に入り、交換ユニット２０２が低温の時、稼動部分の端が本体２０５の凹部２０４の外になるように形状が温度で変形する稼動部２０１を有する。稼動部２０１には、第１の実施例と同様にバイメタルを使用する。
【０００９】
以上に示したように、第２の実施例では、第１の実施例と同様に、交換ユニットが高温の場合に、稼動部が本体内部の凹部に入り、交換ユニットを本体から取り外しできなくすることができ、また交換ユニットの温度が下がると、稼動部の端が本体内部の凹部から外に出るため、交換ユニットを本体から取り外しできるようになる。従って、ユニットを交換する人が、高温状態の交換ユニットに触ってしまう危険を回避することができる。また、第２の実施例の構成では、稼動部２０１のない交換ユニットでも使用することができる利点がある。
（実施の形態３）
次に、本発明の第３の実施例を詳細に説明する。図３は交換ユニットと本体機器の１例としての構成図を示し、
３０１は交換ユニットの凹部
３０２は交換ユニット
３０３は交換ユニットの挿入口
３０４は磁石
３０５は電磁石
３０６は本体機器
３０７はコンセントである
交換ユニット３０２は本体機器３０６の挿入口３０３から挿入した時に、本体内部となる位置で且つ、交換ユニット３０２の挿抜方向に平行な面に凹部３０１を有し、交換ユニット３０２を挿入する本体機器３０６は、コンセント３０７に電源プラグを挿した状態、即ち通電状態には電磁石３０５は磁石となり同じ極性を持つ磁石３０４は磁石の反発力で、交換ユニット３０１の凹部の中に入り、コンセント３０７から電源プラグを抜いた状態、即ち非通電状態には電磁石３０５は磁石として働かず、磁石３０４はそれ自身の重みと磁力で電磁石３０５にくっつき交換ユニット３０２の凹部３０１から外に出る。
【００１０】
以上に示したように、第３の実施例では、機器が通電状態の場合に磁石が交換ユニットの凹部に入り、交換ユニットを本体から取り外しできなくすることができ、また機器が非通電状態の場合に磁石が交換ユニットの凹部の外にあるため、交換ユニットを本体から取り外しできるようにできる。従って、機器が通電状態であるにも関わらず、誤って交換ユニットを取り外してしまい、機器が故障
することを防ぐことができる。
【産業上の利用可能性】
【００１１】
本発明の交換ユニットは、交換ユニットが高温時、または機器が通電時には交換ユニットを本体から取り外すことができないため、交換する人が火傷したり、機器が故障したりすることを回避できる高い安全性を有し、電子機器分野に有用である。
【図面の簡単な説明】
【００１２】
【図１】第１の実施例の交換ユニットと本体機器の構成を示す図
【図２】第２の実施例の交換ユニットと本体機器の構成を示す図
【図３】第３の実施例の交換ユニットと本体機器の構成を示す図
【符号の説明】
【００１３】
１０１    凹部
１０２    交換ユニット
１０３    交換ユニット挿入口  
１０４    稼動部
１０５    本体機器
２０１    稼動部
２０２    交換ユニット
２０３    交換ユニット挿入口
２０４    凹部
２０５    本体機器
３０１    凹部
３０２    交換ユニット
３０３    交換ユニット挿入口
３０４    磁石
３０５    電磁石  
３０６    本体機器
３０７    コンセント
【図１】
2006190065.tif 000003
【図２】
2006190065.tif 000004
【図３】
2006190065.tif 000005